(57)【要約】【課題】押釦の押圧操作を操作パネルに対して斜め方向に行える新規の斜め押しタイプのスイッチ装置を提供する。【解決手段】上方へ突出する四角筒状の押釦支持部１１が上面に設けられたケース１０と、押釦支持部の外側にその軸方向に対して斜め方向である矢印Ｂ方向にスライド移動可能に嵌合する四角筒状をなし押釦支持部の外側に矢印Ｂ方向に押圧操作可能に支持される押釦２０と、ケース内に設けられ押釦が矢印Ｂ方向に押圧操作されることにより押釦支持部の軸方向と平行方向である矢印Ａ方向に動作するスイッチ部３０とを備え、押釦支持部の左右側壁の外面に矢印Ｂ方向に延びるガイドリブ１３が設けられ、押釦２０の左右側壁の内面に矢印Ｂ方向に延びガイドリブの外側に嵌合した状態でそれに対して矢印Ｂ方向に相対摺動するガイド溝２３が設けられているスイッチ装置。【選択図】図１
2019057451.tif 000002
【特許請求の範囲】
【請求項１】
上方へ突出する四角筒状の押釦支持部が上面に設けられたケースと、
前記ケースの前記押釦支持部の外側に前記押釦支持部の軸方向に対して斜め方向にスライド移動可能に嵌合する四角筒状をなし前記押釦支持部の外側に前記斜め方向に押圧操作可能に支持される押釦と、
前記ケース内に設けられ前記押釦が前記斜め方向に押圧操作されることにより前記押釦支持部の軸方向と平行方向に動作するスイッチ部とを備え、
外側の前記押釦の前後側壁に隣接する左右側壁の内面と対向する内側の前記押釦支持部の前後側壁に隣接する左右側壁の外面と前記内面の一方のみに、前記斜め方向に延びるガイドリブが設けられ、他方のみに、前記斜め方向に延び前記ガイドリブの外側に嵌合した状態で前記ガイドリブに対して前記斜め方向に相対摺動するガイド溝が設けられていることを特徴とするスイッチ装置。
【請求項２】
請求項１に記載のスイッチ装置において、前記ガイド溝の一端は前記押釦の非押圧操作時に前記ガイドリブの一端が係合する閉鎖端として前記押釦の抜け止め部になり、前記ガイド溝の他端は前記押釦の押圧操作時に前記ガイドリブの他端が係合する閉鎖端として前記押釦のストッパー部になっていることを特徴とするスイッチ装置。
【請求項３】
請求項１又は２に記載のスイッチ装置において、内側の前記押釦支持部の前記左右側壁と外側の前記押釦の前記左右側壁の一方に、該左右側壁に設けられた切り込みからなる片持ち梁状の可撓部が設けられ、前記可撓部に前記ガイドリブ又は前記ガイド溝が設けられ、前記ガイド溝が設けられている内側の前記押釦支持部の前記左右側壁の外面又は外側の前記押釦の前記左右側壁の内面の一方に、前記押釦を前記ケースの前記押釦支持部の外側に嵌合する際、他方に設けられた前記ガイドリブを挿入するリブ挿入溝と、前記リブ挿入溝に挿入した前記ガイドリブを摺接させ前記可撓部を撓めながら前記ガイドリブを前記ガイド溝が設けられている内側の前記押釦支持部の前記左右側壁の外面又は外側の前記押釦の前記左右側壁の内面の一方に乗り上げさせる傾斜面とが設けられていることを特徴とするスイッチ装置。
【発明の詳細な説明】
【技術分野】
【０００１】
本発明は、主に自動車の車室内の各種電子機器の操作に用いられるスイッチ装置に関し、特に、操作部が押釦のスイッチ装置に関するものである。
【背景技術】
【０００２】
自動車内のステアリングホイール、あるいはセンターコンソールには、空調用、オーディオ用あるいはカーナビゲーション用などの操作用パネルに各種操作スイッチが設けられている。
【０００３】
このような操作パネルに設けられる操作スイッチとしては、操作パネルの開口孔から押釦の操作面を露出させてこの操作面を押圧操作することによりプッシュスイッチなどのスイッチ部の操作子を押圧して該スイッチ部のオン／オフを切り替えるスイッチ装置が知られている。
【０００４】
このようなスイッチ装置は、上方へ突出する四角筒状の押釦支持部が上面に設けられたケースを備えている。押釦は、ケースの押釦支持部の外側に押釦支持部の軸方向に沿って上下方向にスライド移動可能に嵌合する四角筒状をなし押釦支持部の外側に下方に押圧操作可能に支持されている。スイッチ部は、ケース内に設けられ押釦が下方に押圧操作されることにより操作子が下方に押圧されてオン動作するようになっている。
【０００５】
また、外側の押釦の前後側壁及びこれに隣接する左右側壁の４側壁の内面と対向する内側の押釦支持部の前後側壁及びこれに隣接する左右側壁の４側壁の外面と外側の押釦の前後側壁及びこれに隣接する左右側壁の４側壁の内面の一方に、上下方向に延びるガイドリブが設けられ、他方に、上下方向に延びガイドリブが挿入した状態でガイドリブに対して上下方向に相対摺動するガイド溝が設けられている。ガイドリブとガイド溝によって押釦のケースの押釦支持部に対する前後左右方向又は回転方向へのガタが規制されている
【０００６】
このような構成を有するスイッチ装置は、ケースが、これに設けられた押釦支持部の軸方向を操作パネルに対して垂直方向に配置した状態で、ステアリングホイール、あるいはセンターコンソールなどの固定側に取り付けられている。
【０００７】
したがって、このようなスイッチ装置では、押釦の押圧操作方向（スライド移動方向）が、スイッチ部の動作方向と一致しており、その方向は、操作パネルに対して垂直方向（ケースの押釦支持部の軸方向）に一致している（特許文献１，２参照）。
【先行技術文献】
【特許文献】
【０００８】
【特許文献１】特開２０１２−１３４０９８号公報
【特許文献２】特開２０１４−１０７２５６号公報
【発明の概要】
【発明が解決しようとする課題】
【０００９】
近年、自動車において、更なる電子化が進み、操作スイッチには、操作性あるいはデザイン上の多様化要求などから、押釦の押圧操作を操作パネルに対して垂直方向に行う従来（既存）の垂直押しタイプのスイッチ装置のみではなく、押釦の押圧操作を操作パネルに対して斜め方向に行える新規の斜め押しタイプのスイッチ装置が求められている。
【００１０】
このような斜め押し操作を達成する場合、次の２つの方法が考えられる。１つは、ケースを、これに設けられた押釦支持部の軸方向を操作パネルに対して斜め方向に配置した状態で、固定側に取り付ける。即ち、操作パネルに対して斜め方向に垂直押しタイプのスイッチ装置を配置する。もう１つは、ケースに対して押釦支持部を斜め方向に設ける。しかしながら、前者の場合、特許文献１に開示されているように他部品にも併用するケースの配置方向が異なるため、部品の単独化が必要となり、部品点数が増える。また、後者の場合、ケース形状がアンダーカット形状となり、金型構造が複雑となり加工も困難となる。
【００１１】
本発明は、このような事情に鑑みてなされたもので、その目的は、ケースが他部品と併用でき、ケース形状の加工も容易となりながらも、押釦の押圧操作を操作パネルに対して斜め方向に行える新規の斜め押しタイプのスイッチ装置を提供することにある。
【課題を解決するための手段】
【００１２】
１．上方へ突出する四角筒状の押釦支持部が上面に設けられたケースと、
前記ケースの前記押釦支持部の外側に前記押釦支持部の軸方向に対して斜め方向にスライド移動可能に嵌合する四角筒状をなし前記押釦支持部の外側に前記斜め方向に押圧操作可能に支持される押釦と、
前記ケース内に設けられ前記押釦が前記斜め方向に押圧操作されることにより前記押釦支持部の軸方向と平行方向に動作するスイッチ部とを備え、
外側の前記押釦の前後側壁に隣接する左右側壁の内面と対向する内側の前記押釦支持部の前後側壁に隣接する左右側壁の外面と前記内面の一方のみ（外側の押釦の前後側壁と内側の押釦支持部の前後側壁を排除）に、前記斜め方向に延びるガイドリブが設けられ、他方のみ（外側の押釦の前後側壁と内側の押釦支持部の前後側壁を排除）に、前記斜め方向に延び前記ガイドリブの外側に嵌合した状態で前記ガイドリブに対して前記斜め方向に相対摺動するガイド溝が設けられていることを特徴とするスイッチ装置。
【００１３】
１に記載のスイッチ装置によれば、押釦の押圧操作方向（移動方向）がガイドリブとガイド溝によりこれらの延びる方向、即ち、ケースの押釦支持部の軸方向に対して斜め方向に規制されることで、ケースは、これに設けられた押釦支持部の軸方向を操作パネルに対して垂直方向に配置した状態で、固定側に取り付けることができ、他部品と併用でき、ケース形状の加工も容易となる。
【００１４】
２．１に記載のスイッチ装置において、前記ガイド溝の一端は前記押釦の非押圧操作時に前記ガイドリブの一端が係合する閉鎖端として前記押釦の抜け止め部になり、前記ガイド溝の他端は前記押釦の押圧操作時に前記ガイドリブの他端が係合する閉鎖端として前記押釦のストッパー部になっていることを特徴とするスイッチ装置。
【００１５】
２に記載のスイッチ装置によれば、ガイドリブとガイド溝は、押釦の押圧操作方向の規制のみではなく、押釦の抜け止め・ストッパーの機能も果たすことができる。
【００１６】
３．１又は２に記載のスイッチ装置において、内側の前記押釦支持部の前記左右側壁と外側の前記押釦の前記左右側壁の一方に、該左右側壁に設けられた切り込みからなる片持ち梁状の可撓部が設けられ、前記可撓部に前記ガイドリブ又は前記ガイド溝が設けられ、前記ガイド溝が設けられている内側の前記押釦支持部の前記左右側壁の外面又は外側の前記押釦の前記左右側壁の内面の一方に、前記押釦を前記ケースの前記押釦支持部の外側に嵌合する際、他方に設けられた前記ガイドリブを挿入するリブ挿入溝と、前記リブ挿入溝に挿入した前記ガイドリブを摺接させ前記可撓部を撓めながら前記ガイドリブを前記ガイド溝が設けられている内側の前記押釦支持部の前記左右側壁の外面又は外側の前記押釦の前記左右側壁の内面の一方に乗り上げさせる傾斜面とが設けられていることを特徴とするスイッチ装置。
【００１７】
３に記載のスイッチ装置によれば、押釦をケースの押釦支持部の外側に上方から押釦支持部の軸方向と平行方向に嵌合することにより、ガイドリブとガイド溝を嵌合することができ、組み立ても容易となる。
【発明の効果】
【００１８】
本発明によれば、ケースが他部品と併用でき、ケース形状の加工も容易となりながらも、押釦の押圧操作を操作パネルに対して斜め方向に行える新規の斜め押しタイプのスイッチ装置を提供することができる。
【図面の簡単な説明】
【００１９】
【図１】本発明の一実施例に係るスイッチ装置の分解斜視図である。
【図２】本発明の一実施例に係るスイッチ装置の側面図である。
【図３】本発明の一実施例に係るスイッチ装置の断面側面図である。
【図４】本発明の一実施例に係るスイッチ装置の断面正面図である。
【図５】本発明の一実施例に係るスイッチ装置の断面平面図である。
【図６】本発明の一実施例に係るスイッチ装置の押圧操作時の側面図である。
【図７】本発明の一実施例に係るスイッチ装置の押圧操作時の断面側面図である。
【発明を実施するための形態】
【００２０】
以下、本発明の一実施例について図面を参照しながら説明する。
【００２１】
図１は、本発明の一実施例に係るスイッチ装置の分解斜視図、図２は、スイッチ装置の側面図、図３は、スイッチ装置の断面側面図、図４は、スイッチ装置の断面正面図、図５は、スイッチ装置の断面平面図である。
【００２２】
図１〜図５に示すように、スイッチ装置１は、ケース１０と、押釦２０と、スイッチ部３０と、カバー４０とを備えて構成されている。
【００２３】
ケース１０は、下面開口の直方体状をなし、下面開口が矩形板状のカバー４０により覆われている。ケース１０の上面には、上方に突出する四角筒状の押釦支持部１１が設けられている。ケース１０とカバー４０は、それぞれ、絶縁性合成樹脂材料を成形することにより形成されている。
【００２４】
ケース１０内には、配線基板５０が押釦支持部１１の軸方向（上下方向）に対し垂直に配置され、配線基板５０の上面中央部に、一対の櫛歯状の固定接点５１ａ，５１ｂが隙間を存して設けられている。配線基板５０の下面には、固定接点５１ａ，５１ｂと導通接続される信号外部出力用の２本の電線５２ａ，５２ｂが接続されている。配線基板５０の下面がカバー４０により覆われ、電線５２ａ，５２ｂがカバー４０に設けられた電線引き出し用孔４１からケース１０の外部に引き出されている。配線基板５０の上面には、固定接点５１ａ，５１ｂをその上方から覆って下方に座屈可能なカップ状のクリックゴム６０が配置され、クリックゴム６０の下面に、単一の可動接点（図示せず）が設けられている。クリックゴム６０の上端部には、プランジャ７０がケース１０の上面中央部に設けられた軸受１２を介して押釦支持部１１の軸方向に平行な方向である矢印Ａ方向にスライド移動（上下動）可能に設けられ、プランジャ７０の上端部が軸受１２を介して押釦支持部１１の内側下部に突出している。
【００２５】
スイッチ部３０は、固定接点５１ａ，５１ｂ及び電線５２ａ，５２ｂが設けられた配線基板５０と、可動接点が設けられたクリックゴム６０と、プランジャ７０から構成されている。クリックゴム６０は、例えばシリコーンゴムを成形することにより形成されている。プランジャ７０は、金属材料又は絶縁性合成樹脂材料を成形することにより形成されている。
【００２６】
押釦２０は、ケース１０の押釦支持部１１の外側に押釦支持部１１の軸方向に対して４５度以下の角度、例えば図示する３０度だけ傾斜した斜め方向（矢印Ｂ方向）にスライド移動可能に嵌合する四角筒状をなし、押釦支持部１１の外側に矢印Ｂ方向に押圧操作（スライド移動）可能に支持されている。押釦２０は、上端部が閉鎖し下端部が開口しており、押釦２０の上端部（閉鎖端部）に、押圧操作方向（矢印Ｂ方向）に対して垂直な操作面２１が設けられている。押釦２０の内側には、上端部（閉鎖端部）の内面から押釦支持部１１の内側において押釦支持部１１の軸方向に平行方向（矢印Ａ方向）に突出して先端部（下端部）がプランジャ７０の上端部に当接される板状の押圧部２２が設けられている。押釦２０は、絶縁性合成樹脂材料を成形することにより形成されている。
【００２７】
そして、外側の押釦２０の前後側壁２０ａ，２０ｂに隣接する左右側壁２０ｃ，２０ｄの内面と対向する内側の押釦支持部１１の前後側壁１１ａ，１１ｂに隣接する左右側壁１１ｃ，１１ｄの外面には、押釦２０の押圧操作方向（矢印Ｂ方向）に延びる押釦押圧操作方向規制用のガイドリブ１３が設けられ、外側の押釦２０の左右側壁２０ｃ，２０ｄの内面には、押釦２０の押圧操作方向（矢印Ｂ方向）に延びガイドリブ１３の外側に嵌合した状態でガイドリブ１３に対して押釦２０の押圧操作方向（矢印Ｂ方向）に相対摺動する押釦押圧操作方向規制用のガイド溝２３が設けられており、押釦２０の押圧操作方向（スライド移動方向）がガイドリブ１３とガイド溝２３によりこれらの延びる方向、即ち、ケース１０の押釦支持部１１の軸方向に対して４５度以下の角度、例えば図示する３０度だけ傾斜した斜め方向（矢印Ｂ方向）にガイドされ規制されている。
【００２８】
ガイド溝２３の下端は、押釦２０の非押圧操作時にガイドリブ１３の下端が係合する閉鎖端として押釦２０の抜け止め部２３ａになり、ガイド溝２３の上端は、押釦２０の押圧操作時のガイドリブ１３の上端が係合する閉鎖端として押釦２０のストッパー部２３ｂになっており、ガイドリブ１３とガイド溝２３は、押釦２０の押圧操作方向（スライド移動方向）のガイド・規制のみではなく、押釦２０の抜け止め・ストッパーの機能も果たすようになっている。ガイドリブ１３は、長円形に形成され、ガイド溝２３は、ガイドリブ１３よりも押釦２０のスライド移動距離（押圧操作距離）分だけ長さが長い長円形に形成され、ガイドリブ１３とガイド溝２３は、押釦２０の押圧操作方向（スライド移動方向）である矢印Ｂ方向を長手方向として配置されている。ガイド溝２３は、その溝底が押釦２０の左右側壁２０ｃ，２０ｄの外面に抜けていなくても抜けていてもいずれでもよい。図示するガイド溝２３は、その溝底が押釦２０の左右側壁２０ｃ，２０ｄの外面に抜けている長円形の貫通孔からなっている。
【００２９】
内側の押釦支持部１１の左右側壁１１ｃ，１１ｄには、該左右側壁１１ｃ，１１ｄの両側縁部において該左右側壁１１ｃ，１１ｄの上端から下端の手前までに押釦支持部１１の軸方向と平行方向（矢印Ａ方向）に設けられた２本の平行な切り込み１４からなり、下端側を固定端として上端側をガイドリブ１３とガイド溝２３の嵌合分離方向である左右方向に撓み変形可能な片持ち梁状の可撓部１５（該左右側壁１１ｃ，１１ｄにおける２本の切り込み１４の間の部分）が設けられ、該可撓部１５の外面にガイドリブ１３が設けられている。ガイド溝２３が設けられている外側の押釦２０の左右側壁２０ｃ，２０ｄの内面には、スイッチ装置１の組み立て時、押釦２０をケース１０の押釦支持部１１の外側に上方から嵌合する際、内側の押釦支持部１１の左右側壁１１ｃ，１１ｄの可撓部１５の外面に設けられたガイドリブ１３を挿入するリブ挿入溝２４と、該リブ挿入溝２４に挿入したガイドリブ１３を摺接させ可撓部１５を内側に撓めながらガイドリブ１３をガイド溝２３が設けられている外側の押釦２０の左右側壁２０ｃ，２０ｄの内面に乗り上げさせる傾斜面２５とが設けられており、押釦２０をケース１０の押釦支持部１１の外側に上方から押釦支持部１１の軸方向と平行方向（矢印Ａ方向）に嵌合することにより、ガイドリブ１３とガイド溝２３を嵌合させ、組み立てを容易とするようになっている。
【００３０】
外側の押釦２０の前側壁２０ａの内面と対向する内側の押釦支持部１１の前側壁１１ａの外面と、外側の押釦２０の後側壁２０ｂの内面と対向する内側の押釦支持部１１の後側壁１１ｂの外面の、少なくとも一方に、押釦支持部１１の軸方向と平行方向（矢印Ｂ方向）に延びる押釦左右位置決め用のガイドリブ１６と押釦支持部１１の軸方向と平行方向（矢印Ｂ方向）に延びガイドリブ１６を押釦２０の押圧操作方向（スライド移動方向）である矢印Ｂ方向に摺動可能に挿入する押釦左右位置決め用のガイド溝２６の少なくとも一方を設け、外側の押釦２０の前側壁２０ａの内面と、外側の押釦２０の後側壁２０ｂの内面の、少なくとも一方に、押釦左右位置決め用のガイドリブ１６とガイド溝２６の他方が設けるもので、本実施例では、内側の押釦支持部１１の後側壁１１ｂの外面に複数（２本）の押釦左右位置決め用のガイドリブ１６が設けられ、外側の押釦２０の後側壁２０ｂの内面に複数（２本）の押釦左右位置決め用のガイド溝２６が設けられており、スイッチ装置１の組み立て時、押釦２０をケース１０の押釦支持部１１の外側に上方から嵌合する際、押釦左右位置決め用のガイドリブ１６とガイド溝により、ケース１０の押釦支持部１１に対する押釦２０の左右位置を規制し、リブ挿入溝２４と傾斜面２５により可撓部１５を確実に撓ませながら、押釦押圧操作方向規制用のガイドリブ１３とガイド溝２３を確実に嵌合させ、組み立てをさらに容易とするとともに、スイッチ装置１の使用中、ケース１０の押釦支持部１１に対する押釦２０の左右位置を規制し、押釦押圧操作方向規制用のガイドリブ１３とガイド溝２３の嵌合が解除されるのを防止し、押釦２０の押圧操作方向（スライド移動方向）をケース１０の押釦支持部１１の軸方向に対して４５度以下の角度、例えば図示する３０度だけ傾斜した斜め方向（矢印Ｂ方向）に確実にガイドし規制するようになっている。
【００３１】
このように構成されたスイッチ装置１は、図示しないが、例えば自動車内のステアリングホイールの左左右のスポーク部にそれぞれ設けられた操作パネルに設けられている。左側のスポーク部に設けられた操作パネルには、例えばオーディオ操作用として複数個（５個）のスイッチ装置１が配置され、右側のスポーク部には、例えば車載電話機操作用として複数個（４個）のスイッチ装置１が配置されている。
【００３２】
ここで、各スイッチ装置１は、それぞれ、ケース１０が、これに設けられた押釦支持部１１の軸方向と平行方向（矢印Ａ方向）を操作パネルに対して垂直方向に配置した状態で、ステアリングホイールのスポーク部（固定側）に取り付けられ、操作パネルの開口孔から押釦２０の操作面２１が露出される。これにより、押釦２０の押圧操作方向は、押釦支持部１１の軸方向に対して傾斜した斜め方向（矢印Ｂ方向）であることから、操作パネルに対して傾斜した斜め方向（矢印Ｂ方向）となる。したがって、各スイッチ装置１は、押釦２０の押圧操作を操作パネルに対して傾斜した斜め方向（矢印Ｂ方向）に行う斜め押しタイプのものとなる。また、各スイッチ装置１のスイッチ部３０の固定接点５１ａ，５１ｂは、電線５２ａ，５２ｂを介して自動車の電子回路に電気的に接続される。
【００３３】
そして、各スイッチ装置１の配置方向、即ち、ケース１０の配置方向は、操作パネルに対して平行（並行）方向となり、例えば同一の操作パネルに設けられる１つのスイッチ装置１のケース１０及び配線基板４０を他の１つのスイッチ装置１のケース１０及び配線基板４０に併用することができる。また、ケース１０に対して押釦支持部１１を垂直に設け、押釦支持部１１がケース形状でアンダーカット形状となることなく、ケース形状の加工も容易となる。
【００３４】
次に、このようなスイッチ装置１の組み立て及び動作について説明する。
【００３５】
スイッチ装置１の組み立てについては、まず、ケース１０の下面開口からケース１０内に、プランジャ７０、クリックゴム６０、配線基板５０をこの順に組み込み、ケース１０の下面開口に、カバー４０をパッチン止めに固定し、スイッチ部３０を内蔵したケース１０を組み立てる。その後、押釦２０をケース１０の押釦支持部１１の外側に上方から押釦支持部１１の軸方向と平行方向（矢印Ｂ方向）に嵌合することにより、ガイドリブ１３とガイド溝２３を嵌合させ、押釦２０を、押釦支持部１１の外側に矢印Ｂ方向に押圧操作（スライド移動）可能に支持する。これにより、スイッチ装置１が完成する。
【００３６】
図６は、スイッチ装置の押圧操作時の側面図、図７は、スイッチ装置の押圧操作時の断面側面図である。
【００３７】
スイッチ装置１の動作については、ユーザ（運転者）がハンドルを握りながら、例えば親指を伸ばし、操作対象のスイッチ装置１の押釦２０の操作面２１を押圧操作すると、図２の仮想線、図６、図７に示すように、押釦２０がガイドリブ１３とガイド溝２３にガイドされて操作パネルに対して傾斜した斜め方向（矢印Ｂ方向）にスライド移動（押圧操作）する。すると、図６、図７に示すように、押釦２０の押圧部２２によりスイッチ部３０のプランジャ７０が操作パネルに対して垂直方向の下方（押釦支持部１１の軸方向に平行方向、矢印Ａ方向）に押圧されて、このプランジャ７０によりスイッチ部３０のクリックゴム６０が操作パネルに対して垂直方向の下方に押圧される。そして、クリックゴム６０に加わる押圧荷重が所定値を超えた時点でクリックゴム６０が操作パネルに対して垂直方向の下方に座屈する。すると、クリックゴム６０に設けられた可動接点が操作パネルに対して垂直方向の下方に移動して配線基板５０に設けられた固定接点５１ａ，５１ｂに接触し、可動接点を介して固定接点５１ａ，５１ｂが導通接続し、スイッチ部３０がクリックゴム６０の座屈による感触を伴ってオン動作する。
【００３８】
押釦２０を操作パネルに対して傾斜した斜め方向（矢印Ｂ方向）に押圧操作する力が解除されると、押釦２０の押圧部２２によりスイッチ部３０のプランジャ７０を介してクリックゴム６０が操作パネルに対して垂直方向の下方に押圧されなくなる。これに伴い、図２の実線、図３に示すように、クリックゴム６０が座屈前の元の状態に復元する。これにより、押釦２０がスイッチ部３０のプランジャ７０を介して非押圧装置時の初期位置に復帰すると共に、可動接点が固定接点５１ａ，５１ｂから離反し、スイッチ部３０がオフ動作する。
【００３９】
以上、本発明の一実施例について図面を参照しながら説明したが、本発明は本実施例に限定されるものではなく、要旨を逸脱しない範囲内で適宜変更して実施し得るものである。本実施例では、内側の押釦支持部の左右側壁の外面に押釦押圧操作方向規制用のガイドリブを設け、外側の押釦の左右側壁の内面に押釦押圧操作方向規制用のガイド溝を設けたが、内側の押釦支持部の左右側壁の内面に押釦押圧操作方向規制用のガイド溝を設け、外側の押釦の左右側壁の内面に押釦押圧操作方向規制用のガイドリブを設けてもよい。また、本実施例では、内側の押釦支持部の左右側壁に、該左右側壁に設けた２本の平行な切り込みからなる片持ち梁状の可撓部を設け、該可撓部の外面に押釦押圧操作方向規制用のガイドリブを設けたが、該可撓部の外面には押釦押圧操作方向規制用のガイドリブに代えて押釦押圧操作方向規制用のガイド溝を設けてもよく、また外側の押釦の左右側壁に、該左右側壁に設けた２本の平行な切り込みからなる片持ち梁状の可撓部を設け、該可撓部の内面に押釦押圧操作方向規制用のガイド溝を設けてもよく、さらに該可撓部の内面には押釦押圧操作方向規制用のガイド溝に代えて押釦押圧操作方向規制用のガイドリブを設けてもよい。この際、可撓部は、２本の平行な切り込みに代えて、内側の押釦支持部の左右側壁に設ける場合は、上方に開口したコ字形、外側の押釦の左右側壁に設ける場合は、下方に開口したコ字形の切り込みからなる片持ち梁状のものでもよい。さらに、本実施例では、内側の押釦支持部の左右側壁の外面に押釦押圧操作方向規制用のガイドリブを設けたので、外側の押釦の左右側壁の内面に押釦押圧操作方向規制用のガイド溝とともにリブ挿入溝及び傾斜面を設けたが、内側の押釦支持部の左右側壁の外面に押釦押圧操作方向規制用のガイド溝を設けた場合、外側の押釦の左右側壁の内面に押釦押圧操作方向規制用のガイドリブを設けるので、リブ挿入溝及び傾斜面は押釦押圧操作方向規制用のガイド溝を設けた内側の押釦支持部の左右側壁に設けることになる。またさらに、本実施例では、内側の押釦支持部の後側壁の外面に複数の押釦左右位置決め用のガイドリブを設け、外側の押釦の後側壁の内面に複数の押釦左右位置決め用のガイド溝を設けたが、押釦左右位置決め用のガイドリブとガイド溝は、内側の押釦支持部と外側の押釦の互いの前側壁間と後側壁間の両方にもうけても一方に設けてもいずれでもよく、設置本数も単一でも複数でもいずれでもよい。スイッチ部の具体的構造については、様々な変形が可能で、例えば可動接点に金属ドームを設けたメカニカル接点タイプや導電ゴムを設けたエラスティックタイプのタクティルプッシュスイッチとしてもよい。
【符号の説明】
【００４０】
１  スイッチ装置
１０  ケース
１１  押釦支持部
１１ａ  前側壁
１１ｂ  後側壁
１１ｃ  左側壁
１１ｄ  右側壁
１３  ガイドリブ
１４  切り込み
１５  可撓部
２０  押釦
２０ａ  前側壁
２０ｂ  後側壁
２０ｃ  左側壁
２０ｄ  右側壁
２３  ガイド溝
２３ａ  抜け止め部
２３ｂ  ストッパー部
２４  リブ挿入溝
２５  傾斜面
３０  スイッチ部
【図１】
2019057451.tif 000003
【図２】
2019057451.tif 000004
【図３】
2019057451.tif 000005
【図４】
2019057451.tif 000006
【図５】
2019057451.tif 000007
【図６】
2019057451.tif 000008
【図７】
2019057451.tif 000009